(57)【要約】      （修正有）【課題】静電気が溜まりにくく、髪型を整えやすいヘアバンドを提供する。【解決手段】ヘアバンド６は、ゴム芯２の周囲に制電性組糸３を被着して形成される組紐１の両端部どうしを連結して環状に形成される。組紐１の両端部は、固化剤にて固められ、該組紐１の両端部は接着剤にて互いに接合することにより連結される。固化剤は膨張剤を含み、接着剤は膨張剤によって形成された固化剤の硬化後の孔を充填する。また、組紐１の両端部どうしは、互いに凹溝を対向させて上下に配備される上型板と、下型板を設け、下型板の凹溝に熱可塑性樹脂を入れる。【選択図】図１
0003160967.tif 000002
【実用新案登録請求の範囲】
【請求項１】
ゴム芯(２)の周囲に制電性組糸(３)を被着して形成される組紐(１)の両端部どうしを連結して環状に形成されるヘアバンド。
【請求項２】
組紐(１)の両端部は、固化剤(４)にて固められ、該組紐(１)の両端部は接着剤(５)にて互いに接合することにより連結される、請求項１に記載のヘアバンド。
【請求項３】
固化剤(４)は膨張剤を含み、接着剤(５)は膨張剤によって形成された固化剤(４)の硬化後の孔を充填する請求項２に記載のヘアバンド。
【請求項４】
組紐(１)の両端部どうしは、加熱溶融した熱可塑性樹脂(７)にて接合される、請求項１に記載のヘアバンド。
【考案の詳細な説明】
【技術分野】
【０００１】
本考案は、静電防止機能を有する伸縮性組紐を用いて形成された環状ヘアバンドに関する。
【背景技術】
【０００２】
図４は、従来の静電防止機能を有する組紐(１)の一部を切り欠いて示す斜視図である(特許文献１参照)。組紐(１)は線状のゴム芯(２)を設け、該ゴム芯(２)の外周を通常の組糸(25)と、制電性組糸(３)とで交互に織り込んで被着して形成される。ここで、通常の組糸(25)とは、伸縮性に優れた合成繊維糸を束ねたものであって、静電気を放電、徐電する効果は有さない。
一方、制電性組糸(３)とは一価銅イオンを吸着したアクリル系繊維をハイドロサルファイトを含む還元性水溶液で処理した導電性且つ伸縮性を有する繊維から形成されるものであって、制電性組糸(３)に飛来した静電気はコロナ放電して除電される。
従って、組紐(１)は伸縮性を有し、組紐(１)はゴム芯(２)の表面積の約半分に制電性組糸(３)が露呈した状態となっている。
【先行技術文献】
【特許文献】
【０００３】
【特許文献１】実開平２−１３６０８８号公報
【考案の概要】
【考案が解決しようとする課題】
【０００４】
出願人は、伸縮性を有する組紐でヘアバンドを製作していたが、静電気は髪の毛に溜まりやすく、これでは髪型を整えにくい。出願人は、図４に示す制電性組糸(３)を有する組紐(１)にてヘアバンドを製作し、髪の毛への静電気帯電防止を図った。
本考案の目的は、静電気が溜まりにくく、髪型を整えやすいヘアバンドを提供することにある。
【課題を解決するための手段】
【０００５】
ヘアバンド(６)は、ゴム芯(２)の周囲に制電性組糸(３)を被着して形成される組紐(１)の両端部どうしを連結して環状に形成される。
【考案の効果】
【０００６】
本願にあっては、制電性組糸(３)を有する組紐(１)でヘアバンド(６)を構成しているから、髪の毛に帯電した静電気は、ヘアバンド(６)から放電して除電される。これにより、髪型を整えやすくすることが出来る。
【図面の簡単な説明】
【０００７】
【図１】本例に係わる環状のヘアバンドを示す正面図である。
【図２】(a)、(b)、(c)は、ヘアバンドの製造工程を示す断面図である。
【図３】別のヘアバンドの製造工程を示す図である。
【図４】従来の静電防止機能を有する組紐の一部を切り欠いて示す斜視図である。
【考案を実施するための形態】
【０００８】
以下、本考案の一実施例を図を用いて、説明する。
図１は、本例に係わる環状のヘアバンド(６)を示す正面図であり、ヘアバンド(６)は組紐(１)の両端部どうしを連結、具体的には接着して環状に形成される。組紐(１)は、ゴム芯(２)と該ゴム芯(２)を覆う伸縮性の制電性組糸(３)から形成される。しかし、これに代えて、図４に示す従来のように、ゴム芯(２)の周囲に通常の組糸(25)と、制電性組糸(３)を織り込んだものであってもよい。ヘアバンド(６)の接着接合部(11)は、外観からは殆んど分からない。ヘアバンド(６)を触ると、１箇所だけ硬い部分があり、これが接着接合部(11)であると分かる程度である。
【０００９】
図２(a)、(b)、(c)は、上記ヘアバンド(６)の製造工程を示す断面図であり、同様の工程は出願人が以前に特許第３５６０６０２号にて開示している。
図２(a)は、組紐(１)となる材料紐(１a)の断面を示している。ゴム芯(２)の断面は、１辺が約数ｍｍの正方形であるが、制電性組糸(３)に覆われているため変形しており、組紐(６)の端面は略円形を呈している。
ヘアバンド(６)の展開長さをＬとすると、図２(a)に示すように、ゴム芯(２)と該ゴム芯(２)に被着した制電性組糸(３)を、ヘアバンド(６)の展開長さＬよりも少し長い長さＬ１に切断して材料紐(１a)を得る。
材料紐(１a)をヘアバンド(６)の展開長さＬより少し長くしたのは、後記工程で、材料紐の両端を少し切り落として、ヘアバンド(６)の展開長さＬに対応させるためである。
【００１０】
次に、材料紐(１a)の両端面に固化剤(４)を塗布して、該端部のゴム芯(２)と制電性組糸(３)を一体に固める。固化剤(４)は、固化剤(４)が乾燥する際に形成される多数の微細な孔を拡大させる孔拡大成分を含むことを特徴とする。
実施例の固化剤(４)は、水と混合して用いられ、ゴム芯(２)と制電性組糸(３)とを一体に固める働きを成す固化作用成分と、孔拡大成分である膨張剤を含む。
固化作用成分としてポリビニールアルコール系糊（日本合成産業株式会社製）６０ｃｃ、膨張剤として炭酸水素ナトリウム０．５ｇを用い、これらを４０ｃｃの水に溶かして固化剤とした。
実施例では固化剤(４)を容れた容器に、材料紐(１a)の先端を浸けて、塗布斑が生じない様に固化剤(４)を塗布した。固化剤(４)は、制電性組糸(３)とゴム芯(２)との間、制電性組糸(３)の繊維及びゴム芯(２)の微細な孔にも浸透する。
【００１１】
固化剤(４)が付着した端部に温風を当てて固化剤(４)を強制乾燥させる。これは、固化剤(４)の乾燥時間を短縮すると共に、固化剤(４)に含まれる膨張剤の反応を促進させるためである。
固化剤(４)の乾燥中に、固化剤(４)中の水分や揮発性成分は、蒸発或いは気化し、乾燥した固化剤には、それら蒸発や気化によって多数の微細な孔が残り、多孔質となる。
固化剤(４)に含まれる炭酸水素ナトリウムは６５℃以上で分解するので、上記加熱乾燥工程中に、炭酸ガスが発生する。このガスは、上記多孔質化した固化剤(４)の孔を膨張させて、該孔を拡大させる。
【００１２】
図２(b)に示す如く、材料紐(１a)の両端の固化部分(10)(10)を、材料紐(１a)の長さ方向と直交して切断し、ヘアバンド(６)の展開長さＬに対応する長さの組紐(１)を得る。ゴム芯(２)と制電性組糸(３)が一体に固まっている固化部分(10)(10)を切断するため、切端面に毛羽立ちは生じず、ゴム芯(２)と制電性組糸(３)の材質の違いがあるにも拘わらず、切り口は平坦である。
【００１３】
図２(c)に示す如く、組紐(１)の一方の端面に、非水溶性の接着剤(５)を塗布し、両端面をその中心を一致させて突き合せ、突き合わせ方向に加圧して接着接合する。
接着剤(５)は、制電性組糸(３)、該制電性組糸(３)とゴム芯(２)との間の隙間及びゴム芯(２)の端面に浸透して乾燥し、且つ多孔質となった固化剤(４)の孔に接着剤(５)が浸透して固化する。この孔に浸透して固化した接着剤(５)が、組紐(１)の端面どうしを機械的に結合する役割をなして、強力な接合力を得ることができる。
組紐(１)の接着接合の外周部に段差が生じておらず、又、接着剤が固化剤(４)の孔に浸透して接合部の外周側にはみ出すことが防止されるため、接着接合部(11)(図１参照)に膨らみは生じず、他の部分と区別出来ないほど綺麗な外観の接着接合となる。組紐(１)が環状に接合され、制電性組糸(３)により、静電気の放電、除電効果があるヘアバンド(６)が出来上がる。
【００１４】
このようにして形成されたヘアバンド(６)は、以下の効果がある。
１．静電気は一般に、細かい毛が集まった箇所にて、細かい毛どうしが擦れることにより生じ、溜まりやすい。本考案によるヘアバンド(６)で髪を束ねれば、静電気が放電、除電されて、髪が束ねやすくなる。また、静電気が体に溜まることは、健康上良くないので、静電気を放電、除電させることで、健康面でもメリットがある。
２．髪には神経がないので、髪から静電気を放電、除電させても、体に痛み、ダメージは伴わない。
３．髪は比較的電気を通しやすいので、静電気は良好に放電、除電される。また、髪は防止等を被らない限り、通常は露出しており、静電気は効果的に放電される。
【００１５】
上記例では、材料紐(１a)の両端の固化部分(10)(10)を、材料紐(１a)の長さ方向と直交して切断して組紐(１)を得て、該組紐(１)の一端面に、接着剤(５)を塗布し、両端面を突き合わせて接着接合している。
しかし、これに代えて、図３に示すように、互いに凹溝(81)(81)を対向させて上下に配備される上型板(８)と、下型板(80)を設け、下型板(80)の凹溝(81)に熱可塑性樹脂(７)を入れる。該下型板(80)の凹溝(81)内に、固化されていない組紐(１)の両端部を嵌め、熱可塑性樹脂(７)を加熱溶融して、組紐(１)の両端部を接合して、ヘアバンド(６)を形成してもよい。
【００１６】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００１７】
(１)  組紐
(２)  ゴム芯
(３)  制電性組糸
(４)  固化剤
(５)  接着剤
(６)  ヘアバンド
(７)  熱可塑性樹脂
【図１】
0003160967.tif 000003
【図２】
0003160967.tif 000004
【図３】
0003160967.tif 000005
【図４】
0003160967.tif 000006